(57)【要約】【課題】  受信信号以外に局部発振信号と混合されることで中間周波数信号帯の信号に変換されてしまう妨害信号を減衰させることができるように改良された受信回路を提供することを主要な目的とする。【解決手段】  受信信号を第１の周波数変換器１４において第１の局部発振信号と混合することで第１の中間周波数信号に変換し、さらにこの第１の中間周波数信号を第２の周波数変換器１５，１６において第２の局部発振信号と混合することで第２の中間周波数信号に変換する受信回路である。上記受信信号以外に上記第１の局部発振信号と混合されることで中間周波数信号帯の信号に変換されてしまう妨害信号を減衰させるフィルタ１０を第１の周波数変換器１４の前段に設けている。【選択図】  図１
2006074340.tif 000002
【特許請求の範囲】
【請求項１】
所望の周波数信号を、第１の信号と混合することで第１の中間周波数信号に変換する第１の周波数変換器と、前記第１の中間周波数信号を第２の信号と混合することで第２の中間周波数信号に変換する第２の周波数変換器とを備える受信回路において、
前記第１の信号と混合されることで中間周波数信号帯の信号に変換されてしまう妨害信号を減衰させるフィルタを前記第１の周波数変換器の前段に設けたことを特徴とする受信回路。
【請求項２】
２つ以上の異なる周波数帯にある所望の周波数信号を、切り替え可能な第１の信号と混合することで第１の中間周波数信号に変換する第１の周波数変換器と、前記第１の中間周波数信号を切り替え可能な第２の信号と混合することで第２の中間周波数信号に変換する第２の周波数変換器を備える受信回路において、
前記第１の信号と混合されることで中間周波数信号帯の信号に変換されてしまう妨害信号を減衰させるフィルタを、そのフィルタリング周波数を変えて、受信できる周波数帯の数だけ、前記第１の周波数変換器の前段に設けたことを特徴とする受信回路。
【請求項３】
前記フィルタは、少なくともインダクタとキャパシタを直列に接続し、直列共振フィルタとして前記妨害信号を減衰させることを特徴とする請求項１又は２に記載の受信回路。
【請求項４】
２つ以上の異なる周波数帯にある所望の周波数信号を、切り替え可能な第１の信号と混合することで第１の中間周波数信号に変換する第１の周波数変換器と、前記第１の中間周波数信号を切り替え可能な第２の信号と混合することで第２の中間周波数信号に変換する第２の周波数変換器を備える受信回路において、
前記第１の信号と混合されることで中間周波数信号帯の信号に変換されてしまう妨害信号を減衰させるフィルタを備え、前記フィルタのフィルタリング周波数を受信周波数とともに可変にすることを特徴とする受信回路。
【請求項５】
前記フィルタは、少なくともインダクタと可変キャパシタを直列に接続し、直列共振フィルタとして前記妨害信号を減衰させ、前記可変キャパシタの値を変化させることで前記フィルタリング周波数を変化させることを特徴とする請求項４に記載の受信回路。
【請求項６】
前記フィルタは、少なくともキャパシタと、トランジスタ回路にて作成したアクティブインダクタを直列に接続し、直列共振フィルタとして前記妨害信号を減衰させ、アクティブインダクタ値を変化させることで前記フィルタリング周波数を変化させることを特徴とする請求項４に記載の受信回路。
【請求項７】
前記第１の周波数変換器への入力信号ラインは差動にされており、それぞれの入力信号ラインに前記フィルタを接続している請求項１から６に記載の受信回路。
【請求項８】
アンテナと、
前記アンテナから入感した受信信号を処理する信号処理部とを備え、
前記信号処理部は、前記受信信号を第１の信号と混合することで第１の中間周波数信号に変換する第１の周波数変換器と、前記第１の中間周波数信号を第２の信号と混合することで第２の中間周波数信号に変換する第２の周波数変換器とを含み、
前記第１の信号と混合されることで中間周波数信号帯の信号に変換されてしまう妨害信号を減衰させるフィルタを前記第１の周波数変換器の前段に設けた無線通信デバイス。
【請求項９】
唯１つのアンテナと、
前記アンテナから入感した２つ以上の異なる周波数帯の受信信号を処理する信号処理部とを備え、
前記信号処理部は、それぞれの周波数帯における受信信号を第１の信号と混合することで第１の中間周波数信号に変換する第１の周波数変換器と、前記第１の中間周波数信号を第２の信号と混合することで第２の中間周波数信号に変換する第２の周波数変換器とを含み、
前記第１の信号と混合されることで中間周波数信号帯の信号に変換されてしまう妨害信号を減衰させるフィルタを、そのフィルタリング周波数を変えて、受信できる周波数帯の数だけ、前記第１の周波数変換器の前段に設けた無線通信デバイス。
【請求項１０】
唯１つのアンテナと、
前記アンテナから入感した２つ以上の異なる周波数帯の受信信号を処理する信号処理部とを備え、
前記信号処理部は、それぞれの周波数帯における受信信号を第１の信号と混合することで第１の中間周波数信号に変換する第１の周波数変換器と、前記第１の中間周波数信号を第２の信号と混合することで第２の中間周波数信号に変換する第２の周波数変換器とを含み、
前記第１の信号と混合されることで中間周波数信号帯の信号に変換されてしまう妨害信号を減衰させるフィルタを、前記第１の周波数変換器の前段に設け、
前記フィルタのフィルタリング周波数を受信周波数とともに可変にした無線通信デバイス。
【発明の詳細な説明】
【技術分野】
【０００１】
本発明は、例えば無線ＬＡＮトランシーバのような端末装置の受信回路に好適に用いられ、高い周波数信号をベースバンド周波数までダウンコンバージョンする受信回路に関する。本発明は、またそのような受信回路を搭載した無線通信デバイスに関する。
【背景技術】
【０００２】
現在、無線ＬＡＮトランシーバのような端末装置における受信方式の一つに、２回の周波数変換を行う受信回路が用いられている。このような２回の周波数変換を行う受信回路の先行技術として、図８に示す受信回路が提案されている（例えば特許文献１参照）。
【０００３】
図８を参照して、従来の受信回路は、アンテナ１１と、受信周波数帯の信号のみをほぼ減衰させることなく通過させるバンドパスフィルタ（以後ＢＰＦと略）１２と低雑音増幅器（以後ＬＮＡと略）１３と、１回目の周波数変換を行う第１の周波数変換器１４と、２回目の周波数変換を行う第２の周波数変換器１５，１６と、ローパスフィルタや利得可変回路や復調回路等の後段の回路１７，１８とを含む。第２の周波数変換器１５，１６は、それぞれ、Ｉ側またはＱ側のベースバンド周波数の信号を生成する。
【０００４】
動作について説明する。図８と図９を参照して、アンテナ１１から入感し、ＢＰＦ１２を通過した高周波信号ＲＦ（例えば２．４ＧＨＺ）は、ＬＮＡ１３で増幅され、第１の周波数変換器１４において第１の局部発振信号ＬＯ１（例えば３．２ＧＨｚ）と混合され、その差である８００ＭＨｚの信号に変換される。その後、この信号は、第２の周波数変換器１５，１６に分割して供給される。
【０００５】
第２の周波数変換器１５，１６は、それぞれ、第２回目の周波数変換を行なうために、送られてきた信号に、第２の局部発振信号ＬＯ２，ＬＯ３（例えば８００ＭＨｚ）の信号を混合し、その差である０Ｈｚ付近のＩ側またはＱ側のベースバンド周波数の信号を生成する。生成したＩ側、Ｑ側のベースバンド周波数の信号は、後段の回路１７，１８に導かれ、デジタル信号となって取り出される。なお、ＬＯ２とＬＯ３は周波数は同じ（８００ＭＨｚ）で、位相が互いに９０度ずれている。
【０００６】
上記従来例は、１つの周波数帯を扱う受信回路であるが、無線周波数帯（ＲＦ）にはＩＥＥＥ８０２．１１ｂ規格やＩＥＥＥ８０２．１１ｇ規格などに使用されている２．４ＧＨｚ帯と、ＩＥＥＥ８０２．１１ａ規格などに使用される５ＧＨｚ帯があり、これら２つの周波数帯を扱える無線ＬＡＮトランシーバ端末装置も提案されている（非特許文献１）。
【０００７】
【特許文献１】米国特許第６，３５１，５０２号明細書
【０００８】
【非特許文献１】2004 IEEE International Solid-State Circuits Conference / SESSION5 / WLAN TRANSCEIVERS / 5.4
【発明の開示】
【発明が解決しようとする課題】
【０００９】
しかしながら上述の従来技術にかかる装置では、図１０を参照して、２．４ＧＨｚ帯の受信信号ＲＦ以外に第１の周波数変換器１４において第１の局部発振信号ＬＯ１（３．２ＧＨｚ）と混合され、その差である８００ＭＨｚの信号に変換されてしまう４ＧＨｚ帯の妨害信号を排除できない。
【００１０】
より詳しく説明すると、アンテナが受信する電波には、１回目の周波数変換の際に、受信信号周波数以外に第１の局部発振信号ＬＯ１と混合され、中間周波数信号に変換される妨害信号の周波数帯が必ず存在する。図８を再び参照して、通常、受信回路には、アンテナ１１の後段に、受信信号周波数帯のみを通過させるＢＰＦ１２を付加することにより、上記妨害信号を減衰させる。しかし、妨害信号の周波数帯の信号が非常に大きい場合には、ＢＰＦ１２にて信号を減衰させても、受信回路内に妨害波として入力されることがある。受信回路は、通常、ＬＮＡ１３などを備え、受信周波数帯に合わせて設計されるが、妨害信号がＬＮＡ１３などを通過し、第１の周波数変換器１４まで達すると、１回目の周波数変換の際に、受信信号周波数ＲＦ以外に妨害信号が第１の局部発振信号ＬＯ１と混合されることで、中間周波数信号に変換してしまう。すると、妨害信号成分と受信信号成分は中間周波数信号として同一の周波数となり、第２の局部発振信号ＬＯ２と混合されてベースバンド信号に変換されてしまう。そのため、目的とする信号の受信が不可能になるので、信号受信感度の劣化の原因となる。
【００１１】
上記したような２回の周波数変換を行う受信回路を、２．４ＧＨｚ帯と５ＧＨｚ帯の両方を扱える無線ＬＡＮトランシーバ端末装置に適用した場合にも、複数の受信信号周波数帯があるために、２回の周波数変換を行う受信回路にて受信すると、妨害信号の周波数帯が、受信信号周波数と同数だけ存在することにより、同様の問題が生じる。
【００１２】
本発明は、上記のような課題を鑑みてなされたものであり、中間周波数信号に変換される妨害信号の周波数帯が必ず存在することに起因する受信感度の劣化を防止することができるように改良された受信回路を提供することを目的とする。
【００１３】
本発明の他の目的は、２つ以上の異なる周波数帯の受信を行える受信回路において、それぞれの受信周波数帯において存在する妨害信号による受信感度の劣化を防止することができるように改良された受信回路を提供することにある。
【００１４】
本発明のさらに他の目的は、２．４ＧＨｚと５ＧＨｚのデユアルモード対応を一つの回路で実現するための受信回路を提供することにある。
【００１５】
本発明のさらに他の目的は、唯１つのアンテナで、２つ以上の異なる周波数帯の受信を行え、それぞれの受信周波数帯において存在する妨害信号による受信感度の劣化を防止することができるように改良された無線通信デバイスを提供することにある。
【課題を解決するための手段】
【００１６】
上記した課題を解決するため、本発明に係る受信回路は、所望の周波数信号を、第１の信号と混合することで第１の中間周波数信号に変換する第１の周波数変換器と、上記第１の中間周波数信号を第２の信号と混合することで第２の中間周波数信号に変換する第２の周波数変換器とを備える受信回路において、上記第１の信号と混合されることで中間周波数信号帯の信号に変換されてしまう妨害信号を減衰させるフィルタを上記第１の周波数変換器の前段に設けたことを特徴とする。
【００１７】
上記した構成により、上記妨害信号の影響を減少させ、受信信号を良好に第１の周波数変換器に送ることができる。
【００１８】
この発明の他の局面に従う受信回路は、２つ以上の異なる周波数帯にある所望の周波数信号を、切り替え可能な第１の信号と混合することで第１の中間周波数信号に変換する第１の周波数変換器と、上記第１の中間周波数信号を切り替え可能な第２の信号と混合することで第２の中間周波数信号に変換する第２の周波数変換器を備える受信回路において、上記第１の信号と混合されることで中間周波数信号帯の信号に変換されてしまう妨害信号を減衰させるフィルタを、そのフィルタリング周波数を変えて、受信できる周波数帯の数だけ、上記第１の周波数変換器の前段に設けたことを特徴とする受信回路。
【００１９】
上記した構成により、複数の周波数帯の受信信号を取り扱う場合においても、複数の上記妨害信号の影響を減少させ、受信信号を良好に第１の周波数変換器に送ることができる。
【００２０】
この発明のさらに他の局面に従う受信回路は、２つ以上の異なる周波数帯にある所望の周波数信号を、切り替え可能な第１の信号と混合することで第１の中間周波数信号に変換する第１の周波数変換器と、上記第１の中間周波数信号を切り替え可能な第２の信号と混合することで第２の中間周波数信号に変換する第２の周波数変換器を備える受信回路において、上記第１の信号と混合されることで中間周波数信号帯の信号に変換されてしまう妨害信号を減衰させるフィルタを備え、上記フィルタのフィルタリング周波数を受信周波数とともに可変にすることを特徴とする。
【００２１】
上記した構成により、複数の受信信号を取り扱う場合においても、それぞれの受信周波数帯における妨害信号の影響を減少させ、受信信号を良好に第１の周波数変換器に送ることができる。
【００２２】
上記フィルタは、少なくともインダクタと可変キャパシタを直列に接続し、直列共振フィルタとして上記妨害信号を減衰させ、上記可変キャパシタの値を変化させることで上記フィルタリング周波数を変化させることを特徴とする。
【００２３】
また、上記フィルタは、少なくともキャパシタと、トランジスタ回路にて作成したアクティブインダクタを直列に接続し、直列共振フィルタとして上記妨害信号を減衰させ、アクティブインダクタ値を変化させることで上記フィルタリング周波数を変化させるように構成してもよい。
【００２４】
上記第１の周波数変換器への入力信号ラインは差動にされている場合には、それぞれの入力信号ラインに上記フィルタを接続するのが好ましい。
【００２５】
この発明の他の局面に従う無線通信デバイスは、アンテナと、上記アンテナから入感した受信信号を処理する信号処理部とを備える。上記信号処理部は、上記受信信号を第１の信号と混合することで第１の中間周波数信号に変換する第１の周波数変換器と、上記第１の中間周波数信号を第２の信号と混合することで第２の中間周波数信号に変換する第２の周波数変換器とを含む。上記第１の信号と混合されることで中間周波数信号帯の信号に変換されてしまう妨害信号を減衰させるフィルタを上記第１の周波数変換器の前段に設けている。
【００２６】
上記した構成により、上記妨害信号の影響を減少させ、受信信号を良好に第１の周波数変換器に送ることができる。
【００２７】
この発明のさらに他の局面に従う無線通信デバイスは、唯１つのアンテナと、上記アンテナから入感した２つ以上の異なる周波数帯の受信信号を処理する信号処理部とを備える。上記信号処理部は、それぞれの周波数帯における受信信号を第１の信号と混合することで第１の中間周波数信号に変換する第１の周波数変換器と、上記第１の中間周波数信号を第２の信号と混合することで第２の中間周波数信号に変換する第２の周波数変換器とを含む。上記第１の信号と混合されることで中間周波数信号帯の信号に変換されてしまう妨害信号を減衰させるフィルタを、そのフィルタリング周波数を変えて、受信できる周波数帯の数だけ、上記第１の周波数変換器の前段に設けている。
【００２８】
上記した構成により、複数の受信信号を取り扱う場合において、それぞれの受信周波数帯における妨害信号の影響を減少させ、希望する受信信号を良好に第１の周波数変換器に送ることができる。
【００２９】
この発明のさらに他の局面に従う無線通信デバイスは、唯１つのアンテナと、上記アンテナから入感した２つ以上の異なる周波数帯の受信信号を処理する信号処理部とを備える。上記信号処理部は、それぞれの周波数帯における受信信号を第１の信号と混合することで第１の中間周波数信号に変換する第１の周波数変換器と、上記第１の中間周波数信号を第２の信号と混合することで第２の中間周波数信号に変換する第２の周波数変換器とを含む。上記第１の信号と混合されることで中間周波数信号帯の信号に変換されてしまう妨害信号を減衰させるフィルタを、上記第１の周波数変換器の前段に設け、上記フィルタのフィルタリング周波数を受信周波数とともに可変にしている。
【００３０】
上記した構成によっても、複数の上記受信信号を取り扱う場合において、それぞれの受信周波数帯における妨害信号の影響を減少させ、希望する受信信号を良好に第１の周波数変換器に送ることができる。
【発明の効果】
【００３１】
本発明によれば、妨害信号の影響を減少させ、受信信号を良好に第１の周波数変換器に送ることができ、信号受信感度の良好な受信回路が得られる。
【発明を実施するための最良の形態】
【００３２】
妨害信号による受信感度の劣化を防止するという目的を、第１の周波数変換器において受信信号以外に第１の局部発振信号と混合されることで中間周波数信号帯の信号に変換されてしまう上記妨害信号を減衰させるフィルタを第１の周波数変換器の前段に設けるということによって実現した。以下この発明の実施例を、図を用いて説明する。
【実施例１】
【００３３】
図１は本発明の実施例１に係る受信回路の構成を示す回路図である。受信回路は、アンテナ１１とアンテナから入感した受信信号を処理する信号処理部とからなる。信号処理部は、受信周波数帯の信号のみをほぼ減衰させることなく通過させるＢＰＦ１２と、ＬＮＡ１３（利得が可変するものでもよい）と、１回目の周波数変換を行う第１の周波数変換器１４と、２回目の周波数変換を行う第２の周波数変換器器１５，１６と、ローパスフィルタや利得可変回路等の後段の回路１７，１８とを含む。ここで、２回目の周波数変換器１５，１６、ローパスフィルタや利得可変回路等の後段の回路１７，１８のように２系列に分かれているのはＩ，Ｑベースバンド信号に対応するためであり、Ｉ，Ｑベースバンド信号に対応しないシステムではＩ，Ｑに分離する必要はない。
【００３４】
なお、第１、第２の周波数変換を行うダブルコンバージョン方式を採用することにより、ダイレクトコンバージョン方式に比べて、ＤＣオフセットの影響を減らすことのできる受信回路が得られる。
【００３５】
本実施例では、妨害信号を減衰させるフィルタ１０が第１の周波数変換器１４の前段に設けられているのが特徴である。本実施例では、フィルタ１０をＬＮＡ１３と第１の周波数変換器１４の間に挿入しているが、第１の周波数変換器１４の前段であればどこに挿入してもよい。第１の周波数変換器１４への入力信号ラインがシングルエンドの場合には、フィルタ１０はキャパシタ１とインダクタ２の直列回路にて構成され、妨害信号周波数に共振周波数を合わせることで妨害信号を減衰させる。
【００３６】
図２は妨害信号を減衰させるフィルタ１０の特性を示すグラフであり、周波数対利得の関係を示す。キャパシタ１とインダクタ２の直列回路では、図示したように、妨害信号が共振周波数にて減衰する。その結果、妨害信号の影響が減少し、受信信号を良好に第１の周波数変換器に送ることができる。
【実施例２】
【００３７】
図３は、実施例２に係る受信回路の構成を示す回路図である。図３において図１に示す実施例と同一または相当する部分には同一の参照番号を付し、その説明を繰り返さない。
【００３８】
図３を参照して、第１の周波数変換器１４への入力信号ラインが差動の場合には、フィルタ１０を、２つのキャパシタ３をインダクタ２を間に挟んで直列につないで構成し、両端をそれぞれの入力信号ラインに接続し、インダクタ２の中心を接地する。フィルタ１０の共振周波数を妨害信号周波数に合わせることで妨害信号を減衰させる。フィルタ１０は、上記構成以外にもキャパシタとインダクタのつなぎを入れ替えるなど、妨害信号周波数に共振周波数を合わせる組み合わせであれば、どんな構成でもよい。なお、第１の周波数変換器１４への入力信号ラインを差動で構成すると線形性および安定性が良好となる。
【実施例３】
【００３９】
図４は本発明の実施例３に係る受信回路の構成を示す回路図である。図４において図１に示す実施例と同一または相当する部分には同一の参照番号を付し、その説明を繰り返さない。図４は、唯１つのアンテナ１１で、ＩＥＥＥ８０２．１１ｂ規格やＩＥＥＥ８０２．１１ｇ規格などに使用されている２．４ＧＨｚ帯と、ＩＥＥＥ８０２．１１ａ規格などに使用される５ＧＨｚ帯のような、２つの周波数帯を扱える無線ＬＡＮトランシーバ端末装置の回路図である。本構成では、ＬＮＡ１３と、１回目の周波数変換を行う第１の周波数変換器１４との間に、妨害信号を減衰させるフィルタ２０，２１を、受信できる周波数帯の数だけ、複数挿入する。フィルタ２０は、２．４ＧＨｚ帯を受信する際の、妨害信号を減衰させる。また、フィルタ２１は、５ＧＨｚ帯を受信する際の妨害信号を減衰させる。
【００４０】
図５は、図４の構成における受信回路の周波数変換の様子を示した模式図である。図５（Ａ）は、２．４ＧＨｚ帯を受信する場合である。図４と図５（Ａ）を参照して、ＲＦ（受信信号周波数帯で２．４ＧＨｚ帯）は、第１の周波数変換器１４において局部発振信号ＬＯ１Ａ（３．２ＧＨｚ）と混合され、中間周波数信号帯（８００ＭＨｚ）に変換されるが、この場合、４ＧＨｚ帯の妨害信号が必ずあり、この妨害信号もＬＯ１Ａと混合され、その差である中間周波数信号帯（８００ＭＨｚ）に変換されてしまう。このため、本受信回路は、４ＧＨｚ帯の妨害信号を減衰するフィルタ２０を設けることにより、この４ＧＨｚ帯の妨害信号の周波数帯を減衰させることができるように構成されている。フィルタ２０により４ＧＨｚ帯の妨害信号は減衰され、２．４ＧＨｚ帯の受信信号ＲＦのみが、１回目の周波数変換を受け、さらに第２の周波数変換器１５で局部発振信号ＬＯ２Ａ（８００ＭＨｚ）と混合され、その差である０Ｈｚ付近のベースバンド周波数のＩ信号を生成する。また１回目の周波数変換を受けたＲＦ信号は、第２の周波数変換器１６で局部発振信号ＬＯ３Ａ（８００ＭＨｚ）と混合され、その差である０Ｈｚ付近のベースバンド周波数のＱ信号を生成する。
【００４１】
図５（Ｂ）は、５ＧＨｚ帯を受信する場合である。図４と図５（Ｂ）を参照して、ＲＦ（受信信号周波数帯で５ＧＨｚ帯）は、第１の周波数変換器１４において、局部発振信号ＬＯ１Ｂ（４ＧＨｚ）と混合され、その差である中間周波数信号帯（１ＧＨｚ）に変換されるが、この場合、３ＧＨｚ帯の妨害信号が必ずあり、この妨害信号もＬＯ１Ｂと混合され、その差である中間周波数信号帯（１ＧＨｚ）に変換されてしまう。このため、本受信回路は、３ＧＨｚ帯の妨害信号を減衰するフィルタ２１を設けることにより、この３ＧＨｚ帯の妨害信号を減衰させることができるように構成されている。フィルタ２０により３ＧＨｚ帯の妨害信号は減衰され、５ＧＨｚ帯の受信信号ＲＦのみが、１回目の周波数変換を受け、さらに第２の周波数変換器１５において、局部発振信号ＬＯ２Ｂ（１ＧＨｚ）と混合され、その差である０Ｈｚ付近のベースバンド周波数のＩ信号を生成する。また１回目の周波数変換を受けたＲＦ信号は、第２の周波数変換器１６において、局部発振信号ＬＯ３Ｂ（１ＧＨｚ）と混合され、その差である０Ｈｚ付近のベースバンド周波数のＱ信号を生成する。
【００４２】
このように妨害信号を減衰させるフィルタ２０，２１を、受信できる周波数帯の数だけ、第１の周波数変換器１４の前段に挿入することで、複数の受信周波数に対応した妨害信号の減衰を行うことができる。その結果、それぞれの受信周波数帯において、受信信号を良好に第１の周波数変換器に送ることができる。
【００４３】
なお、ＬＯ２ＡとＬＯ３Ａは周波数は同じ（８００ＭＨｚ）で、位相が互いに９０度ずれている。ＬＯ２ＢとＬＯ３Ｂは周波数は同じ（１ＧＨｚ）で、位相が互いに９０度ずれている。
【００４４】
また、ＬＯ１ＡとＬＯ１Ｂは受信周波数帯とともに互いに切り替えられ、ＬＯ２ＡとＬＯ２Ｂは受信周波数帯とともに互いに切り替えられ、ＬＯ３ＡとＬＯ３Ｂは受信周波数帯とともに互いに切り替えられるように構成されている。これにより、唯１つのアンテナで、異なる周波数帯の受信を行なうことができ、２．４ＧＨｚと５ＧＨｚのデユアルモード対応を一つの回路で実現することができる。
【実施例４】
【００４５】
図６は本発明の実施例４に係る受信回路の構成を示す回路図である。図６において図１に示す実施例と同一または相当する部分には同一の参照番号を付し、その説明を繰り返さない。本実施例では、ＬＮＡ１３、１回目の周波数変換を行う第１の周波数変換器１４との間に、インダクタ５を間に挟んで２つの可変キャパシタ３を直列に接続した、妨害信号を減衰するフィルタ３０を第１の周波数変換器１４の前段に挿入している。キャパシタ３を可変容量にすることで、減衰できる共振周波数を可変にしている。上記した構成により、フィルタのフィルタリング周波数を受信周波数とともに可変にすることができ、２．４ＧＨｚ帯と５ＧＨｚ帯の両方に対応した妨害信号の減衰を行うことができる。その結果、それぞれの受信周波数帯において、受信信号を良好に第１の周波数変換器１４に送ることができる。
【００４６】
また、図７に示すように、妨害信号を減衰するフィルタ４０を、可変インダクタ２を間に挟んで２つのキャパシタ４を直列に接続して構成し、第１の周波数変換器１４の前段に挿入してもよい。この変形例では、インダクタ２を可変にすることで、減衰できる共振周波数を可変にしている。インダクタ２を、たとえば、“Broad-band microwave active inductor and its application to miniaturized wide-band amplifiers,”IEEE Trans. Microwave Theory Tech. vol36, pp1920-1924, Dec.1998に紹介されている、トランジスタで構成されたインダクタ等などで構成すると、可変インダクタになる。上記した構成によっても、フィルタのフィルタリング周波数を受信周波数とともに可変にすることができ、２．４ＧＨｚ帯と５ＧＨｚ帯の両方に対応した妨害信号の減衰を行うことができる。
【００４７】
（その他の事項）
【００４８】
上記実施の形態は、２回の周波数変換における受信回路に適用されるものであり、ＬＯ１（ＬＯ１Ａ、ＬＯ１Ｂを含む）は、ＲＦよりも高い周波数であっても、低い周波数であってもよい。いずれであってもＬＯ１による妨害信号の中間周波数信号への変換を抑えるために、妨害信号を減衰させるフィルタが挿入されていれば、妨害信号の影響が減少し、受信信号を良好に第１の周波数変換器に送ることができ、信号受信感度の良好な受信回路が得られる。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５０】
本発明は、無線ＬＡＮトランシーバのような端末装置の受信回路に用いられ、ＲＦ信号をベースバンド周波数までダウンコンバージョンして出力する周波数変換器等に、好適に実施することができる。
【図面の簡単な説明】
【００５１】
【図１】実施例１に係る受信回路の構成を示す回路図
【図２】妨害信号を減衰するフィルタの特性を示すグラフ
【図３】実施例２に係る受信回路の構成を示す回路図
【図４】実施例３に係る受信回路の構成を示す回路図
【図５】図４の構成における受信回路の周波数変換の様子を示した模式図
【図６】実施例４に係る受信回路の構成を示す回路図
【図７】実施例４の変形例に係る受信回路の構成を示す回路図
【図８】従来の受信回路の回路図
【図９】従来の受信回路の動作を説明する図
【図１０】従来の受信回路の問題点を示す図
【符号の説明】
【００５２】
１  キャパシタ
２  インダクタ
１１  アンテナ
１２  ＢＰＦ
１３  ＬＮＡ
１４  第１の周波数変換器
１５，１６  第２の周波数変換器器
１７，１８  後段の回路
【図１】
2006074340.tif 000003
【図２】
2006074340.tif 000004
【図３】
2006074340.tif 000005
【図４】
2006074340.tif 000006
【図５】
2006074340.tif 000007
【図６】
2006074340.tif 000008
【図７】
2006074340.tif 000009
【図８】
2006074340.tif 000010
【図９】
2006074340.tif 000011
【図１０】
2006074340.tif 000012